(57)【要約】【課題】光コネクタとの干渉を抑制すると共に、限られたスペースでも用いることができる光トランシーバを提供する。【解決手段】一形態の光トランシーバは、ハウジング６と、ハウジング６に対しスライド可能に取り付けられたプルタブ５と、ハウジング６と係合してプルタブ５の動作に連動し、挿抜方向に沿って直線移動するスライダ３と、ケージに係合する突起、及びスライダ３に係合する軸を有し、スライダ３の動作に連動して突起が上下方向に移動するラッチを備え、ハウジング６は、ラッチを収容する凹部６１を有し、軸部は長円孔３５に係合し、長円孔３５の長軸３５ｂは挿抜方向に対して傾斜しており、スライダ３の直線移動に連動して軸が長円孔３５内を移動することにより、突起が上下方向に移動する。【選択図】図１０
2018010043.tif 000002
【特許請求の範囲】
【請求項１】
ホストシステムのケージに挿抜される光トランシーバであって、
前記光トランシーバの長手方向に沿って直線移動するスライダと、
前記ケージに係合する突起、及び前記スライダに係合する軸を有し、前記スライダの直線移動に連動して前記突起が前記長手方向と交差する方向に移動するラッチと、
前記スライダと係合し、前記ラッチを収納する凹部を有するハウジングと、
を備え、
前記軸は、前記スライダに形成された長円孔に係合し、
前記長円孔の長軸は、前記長手方向に対して傾斜しており、
前記スライダの直線移動に連動して前記軸が前記長円孔の内部を移動し、前記突起が前記交差方向に移動する、
光トランシーバ。
【請求項２】
さらに、前記スライダと一体に形成された樹脂製のプルタブを有する、
請求項１に記載の光トランシーバ。
【請求項３】
前記スライダは前記長手方向に沿って第１の位置と第２の位置の間を直線移動し、前記第１の位置において前記ラッチは前記ケージと係合し、
前記スライダを前記第１の位置に設定するバネを更に有する、
請求項１又は２に記載の光トランシーバ。
【請求項４】
前記スライダは金属製であり、前記ハウジングは金属製である、
請求項１〜３のいずれか一項に記載の光トランシーバ。
【請求項５】
前記ラッチは、前記軸を有する主部と、前記主部から延び出し前記突起を有する延長部と、を含んでおり、
前記ハウジングの凹部は、前記主部及び前記延長部を収容し、
前記凹部の前記延長部を収容する箇所は、前記凹部の前記主部を収容する箇所よりも深い、
請求項１〜４のいずれか一項に記載の光トランシーバ。
【請求項６】
前記凹部は前記主部を収容する箇所と前記延長部を収容する箇所の境界に段差を有し、
前記段差に、前記主部と前記延長部の境界が当接し、
前記ラッチは前記当接箇所を支点として前記主部と前記延長部が前記スライダの直線移動に同期してシーソ運動する、
請求項５に記載の光トランシーバ。
【発明の詳細な説明】
【技術分野】
【０００１】
本発明は、光トランシーバに関するものである。
【背景技術】
【０００２】
特許文献１には、矩形状のハウジングと、ハウジングに回転可能に接続されたＴ字形のクランクと、クランクから延び出すアクチュエータ・ハンドルを備えた光トランシーバが記載されている。クランク及びアクチュエータ・ハンドルは、ホストシステムのケージへの光トランシーバの係合を解除するラッチ解除機構を構成している。
【０００３】
ケージに光トランシーバが係合した状態で使用者がアクチュエータ・ハンドルを引くと、アクチュエータ・ハンドルがハウジングに対してスライドしクランクが回転する。この回転に伴って、クランクのハウジング側の端部に設けられたピンが持ち上がることにより、光トランシーバとケージとの係合が解除される。
【先行技術文献】
【特許文献】
【０００４】
【特許文献１】特開２０１４−１２０４８１号公報
【発明の概要】
【発明が解決しようとする課題】
【０００５】
前述の光トランシーバにおいて、ハウジングのクランク側の端部からは光コネクタが延び出している。このため、使用者がアクチュエータ・ハンドルを引くときにアクチュエータ・ハンドル又はクランクが光コネクタに干渉することが想定される。また、前述の光トランシーバでは、アクチュエータ・ハンドルを引いたときにクランクがハウジングの外部で回転するので、光トランシーバを限られたスペースで用いるのが難しくなる。
【０００６】
本発明は、光コネクタとの干渉を抑制すると共に、限られたスペースでも使用することができる光トランシーバを提供することを目的とする。
【課題を解決するための手段】
【０００７】
本発明の一形態に係る光トランシーバは、ホストシステムのケージに第１方向に沿って挿入する光トランシーバであって、第１方向に沿ってケージに挿入するハウジングと、ハウジングに対し第１方向に沿ってスライド可能に取り付けられたプルタブと、ハウジングと係合してプルタブの動作に連動し、第１方向に沿って移動するスライダと、ケージに係合する突起、及びスライダに係合する軸部を有し、スライダの動作に連動して突起が第１方向と交差する第２方向に移動するラッチと、を備え、ハウジングは、ラッチを収容する凹部を有し、軸部は、スライダに形成された長円部に係合し、長円部の長軸は、第１方向に対して傾斜しており、スライダの直線移動に連動して軸部が長円部の内部を移動することにより、突起が第２方向に移動する。
【発明の効果】
【０００８】
本発明の一形態では、光コネクタとの干渉を抑制すると共に、限られたスペースでも使用することができる。
【図面の簡単な説明】
【０００９】
【図１】図１は、実施形態に係る光トランシーバの斜視図である。
【図２】図２は、第１の位置のスライダ、プルタブ及びラッチを示す側面図である。
【図３】図３は、第２の位置のスライダ、プルタブ及びラッチを示す側面図である。
【図４】図４は、光レセプタクル、プルタブ及びハウジングを示す斜視図である。
【図５】図５は、スライダ、プルタブ及びハウジングを示す斜視図である。
【図６】図６（ａ）は、スライダを示す斜視図である。図６（ｂ）は長円部を示す図である。
【図７】図７は、スライダ、ハウジング及びバネ部材を示す斜視図である。
【図８】図８は、ラッチを示す斜視図である。
【図９】図９は、ハウジング、スライダ及びラッチを示す断面斜視図である。
【図１０】図１０は、図９からラッチを除いた断面斜視図である。
【発明を実施するための形態】
【００１０】
以下、添付図面を参照しながら、本発明の光トランシーバの実施形態について詳細に説明する。なお、図面の説明において、同一又は相当する要素には同一の符号を付し、重複する説明を省略する。
【００１１】
図１は、実施形態に係る光トランシーバ１の斜視図である。光トランシーバ１は、ホストシステムのケージに挿入して使用される。光トランシーバ１は、全二重双方向光通信を行う。光トランシーバ１の構成はＳＦＰ規格に準拠している。図１に示すように、光トランシーバ１は、金属製のトランシーバ本体２と、トランシーバ本体２に係合したスライダ３と、トランシーバ本体２の一端に位置する光レセプタクル４と、スライダ３から延び出すプルタブ５を備える。
【００１２】
トランシーバ本体２は直方体状を有する。トランシーバ本体２には、光サブアセンブリ及び電子回路等が収容される。トランシーバ本体２は、スライダ３を組み付けたハウジング６と、ハウジング６を封止する蓋部７を含んでいる。
【００１３】
光レセプタクル４は、ハウジング６の一端に設けられており、この光レセプタクル４に、２本の光ファイバケーブルＣ１，Ｃ２の先端に付属する光コネクタＣ３，Ｃ４が挿抜される。ハウジング６の他端に、ホストシステムと電気的通信を行う電気プラグを有する。光ファイバケーブルＣ１は光トランシーバ１が出射する光信号を伝送する送信光ファイバケーブルであり、光ファイバケーブルＣ２は光トランシーバ１へ光信号を伝送する受信光ファイバケーブルである。
【００１４】
光レセプタクル４に２本の光コネクタＣ３，Ｃ４を係合することにより、ハウジング６の内部の電気回路と光ファイバケーブルＣ１，Ｃ２との通信が可能となる。光コネクタＣ３，Ｃ４及び光レセプタクル４は、共にＬＣ型光コネクタの規格に準拠する形状を有する。プルタブ５は、樹脂製である。プルタブ５はスライダ３と一体に形成されている。スライダ３は、プルタブ５の動きに連動して光トランシーバ１の長手方向に沿って直線移動する。
【００１５】
図２及び図３に示すように、スライダ３は、ハウジング６側の位置である第１の位置Ｐ１と、これとは反対側の位置である第２の位置Ｐ２との間で直線的に移動する。図２は第１の位置Ｐ１に位置するスライダ３を示しており、図３は第２の位置Ｐ２に位置するスライダ３を示している。スライダ３は、プルタブ５に力を作用させている状態で第１の位置Ｐ１にあり、プルタブ５に力を作用させている状態で第２の位置Ｐ２に位置する。スライダ３が第１の位置Ｐ１にあるときに、光トランシーバ１はケージと係合し、スライダ３が第２の位置Ｐ２にあるときに初めて光トランシーバ１をケージから抜き取ることができる。
【００１６】
図４及び図５は、スライダ３、プルタブ５及びハウジング６の連結構造を示す斜視図である。図４及び図５に示すように、スライダ３は、光レセプタクル４を取り囲んでいる。
金属板の切断加工及び折り曲げ加工によりスライダ３を形成する。スライダ３は、プルタブ５と接合する一対の連結部３１と、後述するラッチ８と連動する連動部３２を有する。
【００１７】
図６（ａ）は、スライダ３を示す斜視図である。図６（ａ）に示すように、スライダ３は、前述の連結部３１及び連動部３２と、光レセプタクル４を左右から挟む一対の脚部３３と、２つの脚部３３を連結する梁３４を備える。一対の脚部３３及び梁３４が光レセプタクル４を囲んでいる。脚部３３の上方の前端から連結部３１が前方に伸び出し、各連結部３１がプルタブ５に接続している。連結部３１は、連結部３１を貫通する２つの開口３１ａを有し、開口３１ａの内部に、プルタブ５を形成する際に樹脂を充填しこれを硬化することによりスライダ３とプルタブ５が一体に形成される。
【００１８】
２つの連結部３１は、脚部３３から内側（脚部３３同士の間隔を狭める側）に折り曲げた折り曲げ部３１ｂを介して脚部３３に接続する。これにより、各連結部３１から延び出すプルタブ５の幅を制限している。このようにプルタブ５の幅を制限することにより、密に配置されたケージのそれぞれに光トランシーバ１を挿抜する場合であっても、隣接する光トランシーバとの干渉を少なくすることができる。
【００１９】
連動部３２は、脚部３３の下端及び前端を内側に二重に折り曲げて形成する。連動部３２と脚部３３の間には折り曲げ中央片３８が介在している。連動部３２には、前方に向かうに従って上方に傾斜する長円孔３５が形成されている。長円孔３５は連動部３２を貫通している。長円孔３５は、短軸３５ａ及び長軸３５ｂを有し、長軸が光トランシーバ１の前方に向かって上方に傾斜している。
【００２０】
更に、スライダ３は、後述するバネ１０と係合する孔３６と、ハウジング６の側面６ｂから突出する突起６ｃと係合する孔３７を有する。孔３６は、矩形であり脚部３３を貫通している。なお、孔３７は、ハウジング６が突起６ｃを有しない場合には省略することができる。
【００２１】
バネ１０は、帯状の金属部材を折り曲げて形成する。バネ１０は、定常状態（プルタブ５に力を作用させていない状態）で、スライダ３を第１の位置Ｐ１に位置させる力をスライダ３に与える。バネ１０の組立性を考慮すれば、バネ１０の長さは長く設計する方が好ましい。しかしながら、光トランシーバ１のようなプラガブルトランシーバでは、その幅を規定値以内に抑えることが必須であるため、バネ１０の長さも必然的に短くせざるを得ない。
【００２２】
そこで、本実施形態では、図７に示すように、光トランシーバ１はその全幅に渡ってバネ１０を配置している。図７はバネ１０、スライダ３及びハウジング６の位置関係を示す斜視図である。ハウジング６の下面６ａであって後述するラッチ８が搭載される箇所の後方側にバネ１０を配置する。ラッチ８の後方側は、元々何の部品も配置されていない領域であるため、この領域にバネ１０を配置する。下面６ａ及びバネ１０を囲んでＥＭＩシールド部品であるフィンガ９が配置される。このフィンガ９により、配置したバネ１０がハウジング６から外れるのを防止することができる。
【００２３】
ハウジング６は、ラッチ８を収容する凹部６１を有する。凹部６１は、その底面にラッチ８が当接する段差６２を有する。段差６２を挟んでその前方側の箇所６１ａは、後方側の箇所６１ｂよりも浅い。また、後方側の箇所６１ｂの中央には、当該深底箇所６１ｂから更に窪む凹部６１ｄを有する。
【００２４】
図８はラッチ８を示す斜視図である。図９はラッチ８がスライダ３と一体にハウジング６に組み付けられた状態を示す断面斜視図である。ラッチ８は金属製である。ラッチ８は、プルタブ５側（前方側）の主部８１と、主部８１からハウジング６の後方側に延び出す延長部８２を備えている。図８及び図９に示すように、延長部８２の幅は主部８１の幅よりも狭い。主部８１と延長部８２との境界８５はハウジング６の凹部６１に形成した段差６２に当接し、ラッチ８は、この境界８５（当接箇所）を支点としてその主部８１と延長部８２がシーソ運動する。主部８１は、両側面８１ａから突出する軸８３を有する。延長部８２はハウジング６の外方に向けて突出する突起８４を有する。
【００２５】
図１０は、図９に示すハウジング６、スライダ３、及びラッチ８の組立体からラッチ８を省略した状態を示す断面斜視図である。図９及び図１０に示すように、軸８３は、スライダ３の長円孔３５を貫通し、スライダ３の直線運動に同期して、長円孔３５内を移動する。スライダ３の直線運動は、ラッチ８に対して軸８３の上下運動に転換される。軸８３の上下運動は、段差６２のエッジを支点とするラッチ８のシーソ運動に変換され、最終的に突起８４の上下運動に変換される。すなわち、スライダ３を引くと、突起８４がハウジング６側に引き込まれ、突起８４とケージとの係合が解除される。反対に、スライダ３を解放すると、バネ１０の作用によりスライダ３はハウジング６側に引き込まれ、この直線運動は、ラッチ８の突起８４をハウジング６の外方に押し出す作用をもたらす。その結果、突起８４がケージに係合する。また、延長部８２は突起８４を補強する凸部８６を延長部８２の突起８４を有する面とは反対の面に有している。凸部８６は、延長部８２がハウジング６側に引き込まれた時に、ハウジング６の凹部６１ｄに入り込む。
【００２６】
スライダ３、ラッチ８の機構をさらに説明する。プルタブ５を引くと、スライダ３が第１の位置Ｐ１か第２の位置Ｐ２に直線的にスライドし、ラッチ８の軸８３は各長円孔３５内を後方に向けて相対的に移動する。この結果、主部８１が下方に押し下げられ、一方、延長部８２が上方に移動し（段差６２の端部を支点とするシーソ運動）、突起８４はハウジング６の内側に引き込まれる。その結果、突起８４とケージの係合状態が解除される。一方、プルタブ５を解放すると、バネ１０の作用によりスライダ３は第２の位置Ｐ２から第１の位置Ｐ１に直線運動し、軸８３が各長円孔３５内を相対的に前方に移動する。その結果、主部８１がハウジング６側に引き寄せられ、延長部８２をハウジング６の下面から突出させ、突起８４はケージと係合する。
【００２７】
次に、本実施形態に係る光トランシーバ１の作用効果について説明する。本実施形態の光トランシーバ１は、ハウジング６と係合してプルタブ５の動作に連動し、ハウジング６の長軸方向に沿って直線移動するスライダ３と、スライダ３に係合する軸８３、及びケージに係合する突起８４を有するラッチ８を備える。軸８３は、スライダ３に形成された長円孔３５に係合し、長円孔３５の長軸３５ｂはハウジング６の長軸方向に対して有意な角度で傾斜している。そのため、スライダ３の直線移動に連動して軸８３が長円孔３５内を移動し、スライダ３の直線運動が突起８４の上下運動に転換される。
【００２８】
スライダ３の直線移動が直接ラッチ８のシーソ運動に転換するので、従来の光トランシーバの様に、ハウジング６の外部で回転し、この回転運動がラッチ８の上下運動に転換する部品は存在しない。また、スライダ３、プルタブ５及びラッチ８は光レセプタクルに挿入した光コネクタＣ３，Ｃ４と干渉せず限られたスペースで光トランシーバ１を用いることができる。
【００２９】
また、光トランシーバ１は、スライダ３をハウジング６に引き戻すバネ１０を有する。これにより、プルタブ５に力を作用していない状態では、スライダ３は常にハウジング６側に引き寄せられるので、ケージに対するラッチ８の突起８４の係合を一層確実に維持することができる。更に、スライダ３が自動的にハウジング６に引き寄せられるので、剛性のない樹脂製のプルタブ５であっても採用することができる。
【００３０】
以上、本発明に係る実施形態について説明したが、本発明は前述した各実施形態に限定されない。すなわち、特許請求の範囲に記載された本発明の要旨の範囲内において種々の変形及び変更が可能であることは、当業者によって容易に認識される。
【符号の説明】
【００３１】
１…光トランシーバ、２…トランシーバ本体、３…スライダ、４…光レセプタクル、５…プルタブ、６…ハウジング、６ａ…下面、６ｂ…側面、６ｃ…突起、７…蓋部、８…ラッチ、９…フィンガ、１０…バネ、３１…連結部、３１ａ…開口、３２…連動部、３３…脚部、３４…梁、３５…長円孔、３５ａ…短軸、３５ｂ…長軸、３６，３７…孔、６１…凹部、６１ａ，６１ｂ…箇所、６１ｄ…凹部、６２…段差、８１…主部、８１ａ…両側面、８２…延長部、８３…軸、８４…突起、８５…境界、８６…凸部、Ｃ１，Ｃ２…光ファイバケーブル、Ｃ３，Ｃ４…光コネクタ。
【図１】
2018010043.tif 000003
【図２】
2018010043.tif 000004
【図３】
2018010043.tif 000005
【図４】
2018010043.tif 000006
【図５】
2018010043.tif 000007
【図６】
2018010043.tif 000008
【図７】
2018010043.tif 000009
【図８】
2018010043.tif 000010
【図９】
2018010043.tif 000011
【図１０】
2018010043.tif 000012